Podtech/llm-jp-corpus-v4-ja_patent huggingface dataset:
【手続補正書】
【提出日】平成24年11月12日(2012.11.12)
【手続補正１】
【補正対象書類名】特許請求の範囲
【補正対象項目名】全文
【補正方法】変更
【補正の内容】
【特許請求の範囲】
【請求項１】
熱回収蒸気発生器及び関連する蒸気ラインを予め加温する方法であって、
蒸気源からの加熱蒸気を提供して、前記熱回収蒸気発生器からの蒸気を発生する前に前記熱回収蒸気発生器を予め加温する段階と、
前記加熱蒸気を前記熱回収蒸気発生器の過熱器に配向して、該過熱器の少なくとも一部を加温する段階と、
前記過熱器からの加熱蒸気の少なくとも一部を前記熱回収蒸気発生器の少なくとも１つのバイパスラインに配向する段階と、
前記過熱器からの加熱蒸気の少なくとも一部を予め定めた温度又は圧力に達するまで前記少なくとも１つのバイパスライン内に維持する段階と、
前記少なくとも１つのバイパスライン内の前記予め定めた温度又は圧力にある加熱蒸気の少なくとも一部を前記熱回収蒸気発生器の再熱器に配向して、該再熱器の少なくとも一部を加温する段階と、
を含む方法。
【請求項２】
前記過熱器からの加熱蒸気の少なくとも一部を少なくとも１つの主蒸気ラインに配向し、該少なくとも１つの主蒸気ラインを加温する段階を更に含む、請求項１に記載の方法。
【請求項３】
前記再熱器からの加熱蒸気の少なくとも一部を少なくとも１つの高温再熱蒸気ラインに配向し、該少なくとも１つの高温再熱蒸気ラインを加温する段階を更に含む、請求項１に記載の方法。
【請求項４】
前記蒸気源からの加熱蒸気の少なくとも一部を蒸気タービンの高圧セクションに配向し、該蒸気タービンの高圧セクションを加温する段階を更に含む、請求項１に記載の方法。
【請求項５】
前記蒸気源からの加熱蒸気の少なくとも一部を高圧蒸発器及びドラムに配向し、該高圧蒸発器及びドラムを加温する段階を更に含む、請求項１に記載の方法。
【請求項６】
熱回収蒸気発生器及び関連する蒸気ラインを予め加温するためのシステムにおいて、
加熱蒸気を提供して、前記熱回収蒸気発生器からの蒸気を発生する前に前記熱回収蒸気発生器を予め加温する蒸気源と、
前記熱回収蒸気発生器の前記蒸気源及び過熱器に接続され、前記蒸気源からの加熱蒸気を前記過熱器に配向するための少なくとも１つの蒸気ラインと、
前記過熱器及び少なくとも１つのバイパスラインに接続され、前記過熱器からの加熱蒸気の少なくとも一部を前記少なくとも１つのバイパスラインに配向するための少なくとも１つの蒸気ラインと、
前記少なくとも１つのバイパスラインに接続され、前記少なくとも１つのバイパスラインにおいて前記加熱蒸気の少なくとも一部を予め定めた温度又は圧力に維持するためのコントローラと、
前記バイパスライン及び前記熱回収蒸気発生器の再熱器に接続され、前記予め定めた温度又は圧力にある前記加熱蒸気の少なくとも一部を前記再熱器に配向するための少なくとも１つの蒸気ラインと、
を備えるシステム。
【請求項７】
前記過熱器及び蒸気タービンの高圧セクションに接続された少なくとも１つの主蒸気ラインと、
前記少なくとも１つの主蒸気ラインに接続され、該少なくとも１つの主蒸気ライン内に前記加熱蒸気を予め定めた温度又は圧力に維持するためのコントローラと、
を更に備える、
請求項６に記載のシステム。
【請求項８】
前記再熱器及び蒸気タービンの中圧セクションに接続された少なくとも１つの高温再熱蒸気ラインと、
前記１つの高温再熱蒸気ラインに接続され、該１つの高温再熱蒸気ライン内の前記加熱蒸気を予め定めた温度又は圧力に維持するためのコントローラと、
を更に備える、
請求項６に記載のシステム。
【請求項９】
前記蒸気源及び蒸気タービンの高圧セクションに接続された少なくとも１つの高圧蒸気ラインと、
前記少なくとも１つの高圧蒸気ラインに接続され、該少なくとも１つの高圧蒸気ライン内の前記加熱蒸気を予め定めた温度又は圧力に維持するためのコントローラと、
少なくとも１つの中圧蒸気ラインに接続され、該少なくとも１つの中圧蒸気ライン内の前記加熱蒸気を予め定めた温度又は圧力に維持するためのコントローラと、
を更に備える、
請求項６に記載のシステム。
【請求項１０】
前記蒸気源及び高圧蒸発器及びドラムに接続され、前記蒸気源からの加熱蒸気の少なくとも一部を前記高圧蒸発器及びドラムに配向するための少なくとも１つの蒸気ラインと、
前記少なくとも１つの蒸気ラインに接続され、該少なくとも１つの蒸気ライン内の加熱蒸気を予め定めた温度又は圧力に維持するためのコントローラと、
を更に備える、
請求項６に記載のシステム。
【手続補正書】
【提出日】平成23年12月12日(2011.12.12)
【手続補正１】
【補正対象書類名】特許請求の範囲
【補正対象項目名】全文
【補正方法】変更
【補正の内容】
【特許請求の範囲】
【請求項１】
吸収冷却器の冷却管（冷却チューブ）を上下に配置し冷却液を下部より上部へ流すとともに、冷却管（冷却チューブ）外面をアンモニア水に対する濡れ性を高めるとともに流下速度調整のため表面粗さを調整し、定量のアンモニア水を冷却管（冷却チューブ）上部より供給して冷却管（冷却チューブ）外面を伝ってアンモニア水が流下する構成とすることにより、アンモニア水がアンモニアガスを吸収しながら、冷却管（冷却チューブ）によって冷却されながら流下することにより、アンモニア水のアンモニアガス吸収特性を最大限効果的に活用することを特徴とするアンモニアガス吸収冷却器。
【請求項２】
アンモニアガス吸収器を含む熱交換器に、熱交換エレメントとしてプラスチックチューブを採用し、シェルアンドチューブタイプ熱交換器とするとともにチューブ管板間の距離を調整可能とし、多数のチューブが常時引っ張られる状態とすることによりそれぞれのチューブ間隔が互いに均一に整列保持されるようにしたことを特徴とする熱交換器。
【請求項３】
熱交換エレメントとしてプラスチックチューブを採用し、シェルアンドチューブタイプ熱交換器とするとともにチューブ管板間の距離を調整可能とし、多数のチューブが常時引っ張られる状態とすることによりそれぞれのチューブ間隔が互いに均一に整列保持されるようにしたことを特徴とするともに、吸収冷却器については冷却管（冷却チューブ）を上下に配置し冷却液を下部より上部へ流すとともに、冷却管（冷却チューブ）外面をアンモニア水に対する濡れ性を高めるとともに流下速度調整のため表面粗さを調整し、定量のアンモニア水を冷却管（冷却チューブ）上部より供給して冷却管（冷却チューブ）外面を伝ってアンモニア水が流下する構成とすることにより、アンモニア水がアンモニアガスを吸収しながら、冷却管（冷却チューブ）によって冷却されながら流下することにより、アンモニア水のアンモニアガス吸収特性を最大限効果的に活用することを特徴とすることを組み合わせた熱交換器類。
【手続補正書】
【提出日】平成23年11月14日(2011.11.14)
【手続補正１】
【補正対象書類名】特許請求の範囲
【補正対象項目名】請求項８
【補正方法】変更
【補正の内容】
【請求項８】
搬送手段により媒体を搬送する搬送路を有する媒体処理装置において、
清掃基材の両面に、前記搬送手段に対向する搬送手段対向部分を除いて、清掃材が設けられた清掃部材を前記搬送路に挿入する挿入口と、
前記搬送路に前記清掃部材を搬送する前記搬送手段とを具備することを特徴とする媒体処理装置。
【手続補正２】
【補正対象書類名】特許請求の範囲
【補正対象項目名】請求項９
【補正方法】変更
【補正の内容】
【請求項９】
前記搬送路を搬送された前記清掃部材を取り出す取出口と、
前記挿入口に前記清掃部材が挿入されたことを検知する挿入口検知手段と、
前記取出口に前記清掃部材が搬送されたことを検知する取出口検知手段と、
清掃が必要な清掃搬送路と前記挿入口又は取出口を表示する表示部と、
これらを制御する制御部とを有することを特徴とする請求項８記載の媒体処理装置。
【手続補正書】
【提出日】平成24年8月23日(2012.8.23)
【手続補正１】
【補正対象書類名】明細書
【補正対象項目名】００５３
【補正方法】変更
【補正の内容】
【００５３】
以上、本発明の諸実施形態、それを構成する要素乃至機能、並びにそれらの別態様について説明した。ご理解頂けるように、本件技術分野で習熟を積まれた方々（いわゆる当業者）であれば、それらを適宜他の要素乃至機能と組み合わせて別の形態のシステム乃至装置を想到することが可能である。また、いわゆる当業者であれば、上述した技術の一部を別のものに置換若しくは変形し、上述した技術に別の要素を付加し、或いは上述した技術に改良を施した技術を想到することも可能である。本願の記載を参照した結果か否かを問わず、それらのシステム、装置乃至技術は、別紙特許請求の範囲に記載された発明の技術的範囲に包含されるものとする。なお、以下に、付記として本発明の構成の一例を示す。
（付記１）
シート状の印刷媒体を上流から下流へと送るための媒体経路と、
その媒体経路沿いにあり上流側からくるシートにマーキングして下流側に送り出すマーキングエンジンと、
その媒体経路に沿って上記マーキングエンジンの下流側に、或いは更に上流側に設けられたシートバッファを含むシートバッファリングシステムと、
を備える印刷システム。
（付記２）
付記１記載の印刷システムであって、マーキングエンジン内滞在時間のシート間ばらつきが吸収されるよう下流側シートバッファを制御するバッファ制御ユニットを備える印刷システム。
（付記３）
付記２記載の印刷システムであって、上記バッファ制御ユニットが、個々のシートが目標退出時点に下流側シートバッファを退出することとなるよう個々のシートの下流側シートバッファ内滞在時間を可変制御する印刷システム。
（付記４）
シート状の印刷媒体を所定経路経由でマーキングエンジンに進入させるステップと、
そのマーキングエンジンにてその印刷媒体にマーキングを施すステップと、
マーキングが済んだシートを上記経路沿いにそのマーキングエンジンからその下流側のシートバッファへと送り出すステップと、
マーキングエンジン内滞在時間のシート間ばらつきが吸収されるよう個々のシートのシートバッファ内滞在時間を制御するステップと、
を有する印刷方法。
【手続補正２】
【補正対象書類名】特許請求の範囲
【補正対象項目名】全文
【補正方法】変更
【補正の内容】
【特許請求の範囲】
【請求項１】
マーキングエンジンと、
シート状の印刷媒体を上流側から前記マーキングエンジンへと送り、前記マーキングエンジンによってマーキングされた前記シート状の印刷媒体を下流側へと送る媒体経路と、
前記媒体経路に沿って前記マーキングエンジンの上流側に設けられた第１のシートバッファ、及び、前記媒体経路に沿って前記マーキングエンジンの下流側に設けられた第２のシートバッファを含むシートバッファリングシステムと、
少なくとも１つのシートフィーダと、
少なくとも１つの媒体搬送システムと、
少なくとも１つのフィニッシャと、
前記シートフィーダ、前記媒体搬送システム及び前記フィニッシャを制御する中央コントローラと、
を備え、
前記媒体搬送システムは、前記媒体経路に沿って前記シート状の印刷媒体を前記シートフィーダから前記マーキングエンジンへ前記第１のシートバッファを介して搬送し、前記シート状の印刷媒体を前記マーキングエンジンから前記フィニッシャへ前記第２のシートバッファを介して搬送し、
前記中央コントローラは、前記シートフィーダ、前記媒体搬送システム及び前記フィニッシャのうちの少なくとも１つからタイミング情報を受け取り、各印刷媒体の移動タイミングを制御し、前記マーキングエンジンと前記第２のシートバッファとにおける前記印刷媒体の合計滞在時間が一定になるよう、前記マーキングエンジンにおける前記印刷媒体の移動タイミングを制御する、
印刷システム。
【請求項２】
請求項１記載の印刷システムであって、前記マーキングエンジンにおける印刷媒体の滞在時間のばらつきが吸収されるよう前記第２のシートバッファを制御するバッファ制御ユニットを更に備える印刷システム。
【請求項３】
請求項２記載の印刷システムであって、前記バッファ制御ユニットは、前記第２のシートバッファにおける各印刷媒体の滞在時間を可変制御し、それによって、前記印刷媒体は、所定時間に前記第２のシートバッファに存在する、印刷システム。
【請求項４】
シート状の印刷媒体を媒体経路に沿ってマーキングエンジンに進入させるステップと、
前記マーキングエンジンにて前記印刷媒体にマーキングを施すステップと、
マーキングが施された印刷媒体を前記媒体経路に沿って前記マーキングエンジンからその下流側のシートバッファへと送り出すステップと、
前記マーキングエンジンと前記シートバッファとにおける一定の合計滞在時間であって、前記マーキングエンジンのばらつきを考慮した前記マーキングエンジンにおける最長滞在時間と前記シートバッファにおける最短滞在時間との少なくとも合計である合計滞在時間を設定するステップと、
前記マーキングエンジンにおける印刷媒体の滞在時間のばらつきを吸収するよう前記シートバッファにおける各印刷媒体の滞在時間を制御するステップであって、前記合計滞在時間を達成するよう前記シートバッファにおける各印刷媒体の滞在時間を制御するステップと、
を有する印刷方法。
【手続補正書】
【提出日】平成24年7月10日(2012.7.10)
【手続補正１】
【補正対象書類名】明細書
【補正対象項目名】発明の名称
【補正方法】変更
【補正の内容】
【発明の名称】ユーザ認証システムおよびそのためのコンピュータプログラム
【手続補正２】
【補正対象書類名】明細書
【補正対象項目名】００１８
【補正方法】変更
【補正の内容】
【００１８】
上記課題を解決するために、複数の画像からユーザにより選択された秘密画像を取得し、前記秘密画像と異なる画像をおとり画像として取得し、前記秘密画像中の一部の領域および前記おとり画像中の一部の領域を選択し、前記選択された秘密画像中の領域とおとり画像中の領域を近接配置してコラージュを作成し、ユーザにより入力装置を介して入力された、前記コラージュ中の少なくとも一つの前記領域を選択した選択領域を受信し、前記選択領域が前記秘密画像中の領域と一致するか否かに基づいて、認証を要求する装置あるいはコンピュータを利用したサービスの利用に関する認証を行うことを特徴とする。
【手続補正３】
【補正対象書類名】明細書
【補正対象項目名】００２０
【補正方法】変更
【補正の内容】
【００２０】
また、上記課題を解決するために、本発明のグラフィカルなユーザ認証システムは、複数の画像からユーザにより選択された秘密画像を取得する秘密画像取得手段と、前記秘密画像と異なる画像をおとり画像として取得するおとり画像取得手段と、前記秘密画像中の一部の領域および前記おとり画像中の一部の領域を選択する領域選択手段と、前記選択された秘密画像中の領域とおとり画像中の領域を近接配置してコラージュを作成するコラージュ作成手段と、ユーザにより入力装置を介して入力された、前記コラージュ中の少なくとも一つの前記領域を選択した選択領域を受信し選択領域受信手段と、前記選択領域が前記秘密画像中の領域と一致するか否かに基づいて、認証を要求する装置あるいはコンピュータを利用したサービスの利用に関する認証を行うことを特徴とする。
【手続補正４】
【補正対象書類名】特許請求の範囲
【補正対象項目名】全文
【補正方法】変更
【補正の内容】
【特許請求の範囲】
【請求項１】
複数の画像からユーザにより選択された秘密画像を取得する秘密画像取得手段と、
前記秘密画像と異なる画像をおとり画像として取得するおとり画像取得手段と、
前記秘密画像中の一部の領域および前記おとり画像中の一部の領域を選択する領域選択手段と、
前記選択された秘密画像中の領域とおとり画像中の領域を近接配置してコラージュを作成するコラージュ作成手段と、
ユーザにより入力装置を介して入力された、前記コラージュ中の少なくとも一つの前記領域を選択した選択領域を受信する選択領域受信手段と、
前記選択領域が前記秘密画像中の領域と一致するか否かに基づいて、認証を要求する装置またはコンピュータを利用したサービスの利用に関する認証を行う認証手段と、
を備えるグラフィカルなユーザ認証システム。
【請求項２】
前記領域選択手段は、一つの前記秘密画像から前記コラージュに用いる複数の領域を選択することを特徴とする請求項１記載のグラフィカルなユーザ認証システム。
【請求項３】
さらに、前記コラージュに用いる前記複数の領域間の距離、接触状態、および領域の画像類似性のうち少なくとも一つに基づく前記複数の領域の互いの関連性の評価に基づいて前記コラージュに用いるか否かを判定する画像選択手段を備えることを特徴とする請求項２記載のグラフィカルなユーザ認証システム。
【請求項４】
さらに、前記複数の画像に対して所定の分類を行う分類手段と、一つの前記コラージュを構成する前記おとり画像を前記秘密画像の分類に基づいて選択する画像選択手段と、を備えることを特徴とする請求項１または２記載のグラフィカルなユーザ認証システム。
【請求項５】
前記コラージュ作成手段は、前記コラージュを構成する前記秘密画像中および前記おとり画像中の領域の輪郭が全て同一の形とならないように配置することを特徴とする請求項１記載のグラフィカルなユーザ認証システム。
【請求項６】
コンピュータに、
複数の画像からユーザにより選択された秘密画像を取得し、
前記秘密画像と異なる画像をおとり画像として取得し、
前記秘密画像中の一部の領域および前記おとり画像中の一部の領域を選択し、
前記選択された秘密画像中の領域とおとり画像中の領域を近接配置してコラージュを作成し、
ユーザにより入力装置を介して入力された、前記コラージュ中の少なくとも一つの前記領域を選択した選択領域を受信し、
前記選択領域が前記秘密画像中の領域と一致するか否かに基づいて、認証を要求する装置またはコンピュータを利用したサービスの利用に関する認証を行う、
動作をさせるためのグラフィカルなユーザ認証のためのコンピュータプログラム。
【請求項７】
前記領域の選択において、前記秘密画像から前記コラージュに用いることが可能な複数の領域を選択することを特徴とする請求項６記載のグラフィカルなユーザ認証のためのコンピュータプログラム。
【請求項８】
コンピュータに、さらに、前記コラージュに用いる前記複数の領域間の距離、接触状態、および領域の画像類似性のうち少なくとも一つに基づく前記複数の領域の互いの関連性の評価に基づいて前記コラージュに用いるか否かを判定させることを特徴とする請求項７記載のグラフィカルなユーザ認証のためのコンピュータプログラム。
【請求項９】
コンピュータに、さらに、前記複数の画像に対して所定の分類を行わせ、一つの前記コラージュを構成する前記おとり画像を前記秘密画像の分類に基づいて取得させることを特徴とする請求項６または７記載のグラフィカルなユーザ認証のためのコンピュータプログラム。
【請求項１０】
前記コラージュの作成が、前記コラージュを構成する前記秘密画像中および前記おとり画像中の領域の輪郭が全て同一の形とならないように配置させることを特徴とする請求項６記載のグラフィカルなユーザ認証のためのコンピュータプログラム。
【手続補正書】
【提出日】平成24年7月20日(2012.7.20)
【手続補正１】
【補正対象書類名】特許請求の範囲
【補正対象項目名】全文
【補正方法】変更
【補正の内容】
【特許請求の範囲】
【請求項１】
音声を合成する音声合成部と、
提示された合成音声に対するユーザの挙動からユーザ挙動特徴を抽出するユーザ挙動特徴抽出部と、
抽出したユーザ挙動特徴から、合成音声に対するユーザの音質評価値を推測する音質評価値推測部と、
前記音質評価値に基づいて、前記音声合成部を修正する修正部と
を備えることを特徴とする音声合成装置。
【請求項２】
請求項１記載の音声合成装置において、
前記ユーザ挙動特徴抽出部は、合成音声の分割されたセグメントごとに音質を評価することを特徴とする音声合成装置。
【請求項３】
請求項１記載の音声合成装置において、
前記音質評価値推測部は、専門家経験により作成した規則群、もしくは、音声主観評価実験から統計的手法で作成した規則群を用いて音質評価値を推測することを特徴とする音声合成装置。
【請求項４】
請求項１乃至３の何れか一つに記載の音声合成装置において、
前記ユーザ挙動特徴は、合成波形の拡大された場所、再生回数、行動時間、修正の有無、修正の種類、修正時間、ユーザ注目時間、集まるユーザの人数などからなることを特徴とする音声合成装置。
【請求項５】
請求項１記載の音声合成装置において、
前記音声合成部は、音声合成のための合成データベースを備え、
前記修正部は、前記合成データベースの音声合成用のデータを修正することを特徴とする音声合成装置。
【請求項６】
請求項５記載の音声合成装置において、
前記音声合成部は、言語モデルを用いてテキストを分析し、中間言語を生成する言語解析部と、ターゲット付与モデルを用いて中間言語から合成用ターゲットを作成するターゲット付与部と、合成用ターゲットを用いて、前記合成データベースから、コスト計算関数を使って、音声素片を選択し、接続する素片選択部を備えることを特徴とする音声合成装置。
【請求項７】
請求項６記載の音声合成装置において、
前記修正部は、ユーザの評価に応じて、前記音声合成部の、韻律モデルを修正する手段と、接続評価関数を修正する手段を有することを特徴とする音声合成装置。
【請求項８】
請求項５記載の音声合成装置において、
更に、合成音声波形を提示し、音声波形に対するユーザの挙動をユーザ挙動情報として出力するユーザインターフェースと、合成情報を提示し、合成音声に対するユーザの行った音声修正をユーザ挙動情報として出力するユーザインターフェースとを備えることを特徴とする音声合成装置。
【請求項９】
請求項５記載の音声合成装置において、
更に、前記音質評価値と合成情報に基づいて合成履歴を作成する合成履歴作成部を備え、
前記修正部は、合成履歴から生成した修正用データにより前記合成データベースの音声合成用データを修正することを特徴とする音声合成装置。
【請求項１０】
請求項１記載の音声合成装置において、
前記ユーザ挙動特徴抽出部が、出力された合成音声に対するユーザの挙動を監視し、ユーザ挙動特徴を抽出するユーザ挙動監視装置であることを特徴とする音声合成装置。
【請求項１１】
請求項１記載の音声合成装置において、
前記音声合成部が、発話スタイルを指定する音声合成手法指定部と、指定されたスタイルで音声を合成する音声合成部とを備え、
前記修正部が、前記音声合成手法指定部で指定する発話スタイルを修正することを特徴とする音声合成装置。
【請求項１２】
請求項１記載の音声合成装置において、
更に、音声の提示手法を指定する音声提示手法指定部と、指定された手法で音声を提示する音声提示部とを備え、
前記修正部が、前記音声提示手法指定部で指定する音声の提示手法を修正することを特徴とする音声合成装置。
【請求項１３】
音声を合成しユーザに提示するステップと、
提示された合成音声に対するユーザの行動からユーザの挙動特徴を抽出するステップと、
抽出したユーザ挙動特徴から、合成音声に対するユーザの音質評価値を推測するステップと、
前記音質評価値に基づいて、前記音声合成を修正するステップと
を備えることを特徴とする音声合成方法。
【請求項１４】
コンピュータに、音声を合成しユーザに提示するステップと、
提示された合成音声に対するユーザの行動からユーザの挙動特徴を抽出するステップと、
抽出したユーザ挙動特徴から、合成音声に対するユーザの音質評価値を推測するステップと、
前記音質評価値に基づいて、前記音声合成を修正するステップと
を実行させるためのプログラム。
【手続補正書】
【提出日】平成24年8月1日(2012.8.1)
【手続補正１】
【補正対象書類名】特許請求の範囲
【補正対象項目名】請求項１
【補正方法】変更
【補正の内容】
【請求項１】
互いに非相溶である少なくとも２種類の樹脂材料を１種類の溶媒に溶解させた第１の塗布液と、少なくとも１種類の樹脂材料と前記１種類の樹脂材料用の良溶媒と前記１種類の樹脂材料用の貧溶媒とを溶媒として含む第２の塗布液とを調製する工程と、
連続走行する支持体上に前記第１の塗布液と前記第２の塗布液をこの順で塗布する塗布工程と、
前記塗布工程で形成された第１の塗布層と第２の塗布層とを乾燥により相分離させ、前記第１の塗布層を前記２種類の樹脂材料を相分離させた防眩層とし、前記第２の塗布層を、空隙を有し前記防眩層より屈折率の低い低屈折率層とする工程を含む防眩性フィルムの製造方法。
【手続補正２】
【補正対象書類名】明細書
【補正対象項目名】００１３
【補正方法】変更
【補正の内容】
【００１３】
前記目的を達成するために、本発明の防眩性フィルムの製造方法は、互いに非相溶である少なくとも２種類の樹脂材料を１種類の溶媒に溶解させた第１の塗布液と、少なくとも１種類の樹脂材料と前記１種類の樹脂材料用の良溶媒と前記１種類の樹脂材料用の貧溶媒とを溶媒として含む第２の塗布液とを調製する工程と、連続走行する支持体上に前記第１の塗布液と前記第２の塗布液をこの順で塗布する塗布工程と、前記塗布工程で形成された第１の塗布層と第２の塗布層とを乾燥により相分離させ、前記第１の塗布層を前記２種類の樹脂材料を相分離させた防眩層とし、前記第２の塗布層を、空隙を有し前記防眩層より屈折率の低い低屈折率層とする工程を含むことを特徴とする。
【手続補正書】
【提出日】平成24年6月12日(2012.6.12)
【手続補正１】
【補正対象書類名】特許請求の範囲
【補正対象項目名】全文
【補正方法】変更
【補正の内容】
【特許請求の範囲】
【請求項１】
複数のオブジェクトからなる元のドキュメントから新たなドキュメントを生成する表示用データ生成装置であって、
上記オブジェクトの識別情報と上記オブジェクトの表示順を示す情報とが対応付けられている表示順情報を生成する手段と、
上記元のドキュメントから上記表示順情報に含まれるオブジェクトを抽出するオブジェクト抽出手段と、
上記オブジェクト抽出手段が抽出したオブジェクトを上記表示順情報が示す順番に並べて新たなドキュメントを生成する表示用データ生成手段と、を備えることを特徴とする表示用データ生成装置。
【請求項２】
上記表示順情報を生成する手段は、上記元のドキュメントに対して、ユーザが指定した経路に沿って表示画面を動かした際に、当該表示画面に上記オブジェクトの少なくとも一部が表示される順番を上記オブジェクトの表示順として特定することを特徴とする請求項１に記載の表示用データ生成装置。
【請求項３】
上記表示順情報を生成する手段は、上記元のドキュメントに対して、ユーザが指定した経路に沿って表示画面を動かした際に、当該表示画面に上記オブジェクトの中心が表示される順番を上記オブジェクトの表示順として特定することを特徴とする請求項１に記載の表示用データ生成装置。
【請求項４】
上記表示順情報を生成する手段は、上記元のドキュメントに対して、ユーザが指定した経路に沿って表示画面を動かした際に、当該表示画面に上記オブジェクト全体が表示される順番を上記オブジェクトの表示順として特定することを特徴とする請求項１に記載の表示用データ生成装置。
【請求項５】
上記表示用データ生成手段は、上記オブジェクト抽出手段が抽出したオブジェクトのサイズが、新たに生成するドキュメントを表示する表示部の表示画面サイズより大きい場合、上記表示画面サイズに収まるように、上記オブジェクトのサイズを変更することを特徴とする請求項１〜４の何れか１項に記載の表示用データ生成装置。
【請求項６】
上記表示用データ生成手段は、上記オブジェクトがテキストの場合、フォントサイズを小さくすることを特徴とする請求項５に記載の表示用データ生成装置。
【請求項７】
上記表示用データ生成手段は、新たに生成するドキュメントを表示する表示部の表示画面サイズ内に、上記表示順情報が示す表示順が連続している複数のオブジェクトが同時に元のサイズのまま収まる場合、当該複数のオブジェクトを含む１つのドキュメントを生成することを特徴とする請求項１〜６の何れか１項に記載の表示用データ生成装置。
【請求項８】
請求項１〜７の何れか１項に記載の表示用データ生成装置と、
上記表示用データ生成装置が生成した新たなドキュメントを表示する表示部を備えた表示装置と、を含むことを特徴とする表示用データ生成システム。
【請求項９】
複数のオブジェクトからなる元のドキュメントから新たなドキュメントを生成する表示用データ生成方法であって、
上記オブジェクトの識別情報と上記オブジェクトの表示順を示す情報とが対応付けられている表示順情報を生成する表示順情報生成ステップと、
上記元のドキュメントから上記表示順情報に含まれるオブジェクトを抽出するオブジェクト抽出ステップと、
上記オブジェクト抽出ステップにおいて抽出したオブジェクトを上記表示順情報が示す順番に並べて新たなドキュメントを生成する表示用データ生成ステップと、を含むことを特徴とする表示用データ生成方法。
【請求項１０】
請求項１〜７のいずれか１項に記載の表示用データ生成装置を動作させるためのプログラムであって、コンピュータを上記の各手段として機能させることを特徴とするプログラム。
【請求項１１】
請求項１０に記載のプログラムを記録したコンピュータ読み取り可能な記録媒体。
【手続補正書】
【提出日】平成24年8月2日(2012.8.2)
【手続補正１】
【補正対象書類名】特許請求の範囲
【補正対象項目名】全文
【補正方法】変更
【補正の内容】
【特許請求の範囲】
【請求項１】
無線で情報を送信するＲＦＩＤタグであって、
前記情報を格納するＩＣチップと、
前記ＩＣチップの２端子を介して接続し、前記ＩＣチップに格納された情報を電波により送信する第１のアンテナと、
前記第１のアンテナに備えられた、前記ＩＣチップと当該第１のアンテナのインピーダンス整合を行うスリットと、
前記スリットを覆うように重ねられた、導電性を有する導電体と、
前記導電体と、前記第１のアンテナの間にある絶縁体と、
を備え、
前記絶縁体の厚さが０.００５ｍｍ以上０.３ｍｍ以下であることを特徴とするＲＦＩＤタグ。
【請求項２】
請求項１に記載のＲＦＩＤタグにおいて、
前記第１のアンテナが電気的１/２λ長以下であること特徴とするＲＦＩＤタグ。
【請求項３】
請求項１又は請求項２に記載のＲＦＩＤタグにおいて、
前記導電体は磁性体であることを特徴とするＲＦＩＤタグ。
【請求項４】
請求項１乃至３のいずれか１項に記載のＲＦＩＤタグにおいて、
前記導電体は、前記第１のアンテナの片端方向に延在していることを特徴とするＲＦＩＤタグ。
【請求項５】
請求項１乃至４のいずれか１項に記載のＲＦＩＤタグにおいて、
前記ＩＣチップと前記導電体とは、前記第１のアンテナに対して互いに反対側に設けられるとともに、
前記導電体は前記スリットと重なり、前記第１のアンテナはその一部に前記導電体と重ならない部分を有するように設けられることを特徴とするＲＦＩＤタグ。
【請求項６】
請求項１乃至３のいずれか１項に記載のＲＦＩＤタグにおいて、
前記導電体は、２つ以上に分割されていることを特徴とするＲＦＩＤタグ。
【請求項７】
請求項６に記載のＲＦＩＤタグにおいて、
前記複数の導電体の間にＩＣチップが位置することを特徴とするＲＦＩＤタグ。
【請求項８】
請求項６又は７に記載のＲＦＩＤタグにおいて、
前記導電体は、前記第１のアンテナの両端方向に延在していることを特徴とするＲＦＩＤタグ。
【請求項９】
請求項１乃至３のいずれか１項に記載のＲＦＩＤタグにおいて、
前記第１のアンテナの片端もしくは両端に第２のアンテナを有することを特徴とするＲＦＩＤタグ。
【請求項１０】
請求項１乃至３のいずれか１項に記載のＲＦＩＤタグにおいて、
前記ＩＣチップと複数の前記導電体とは、前記第１のアンテナに対して同じ側に設けられ、
前記導電体は、前記ＩＣチップより大きな切り抜き部を備え、当該切り抜き部内に前記ＩＣチップが設けられることを特徴とするＲＦＩＤタグ。
【請求項１１】
無線でＩＣチップの情報を送信する第１のアンテナを備えるＲＦＩＤタグを製造するＲＦＩＤタグ製造方法において、
厚みが０.００５ｍｍ以上０.３ｍｍ以下であるテープ状の絶縁体基材の片面に所定の間隔で複数の前記第１のアンテナを形成し、
前記複数の第1のアンテナにそれぞれ前記ＩＣチップを実装し、
前記片面とは反対側の他の面の絶縁体基材上に、前記複数の第1のアンテナに対向するように一葉の導電体を形成し、
前記絶縁体基材テープ及び前記導電体を前記複数の第1のアンテナの間にある切断位置で分断することを特徴とするＲＦＩＤタグ製造方法。
【請求項１２】
請求項１１に記載のＲＦＩＤタグ製造方法において、
前記第１のアンテナ及び導電体は、エッチングにより形成されることを特徴とするＲＦＩＤタグ製造方法。
【請求項１３】
請求項１２に記載のＲＦＩＤタグ製造方法において、
前記導電体は、金属箔の貼り付、金属蒸着、またはスパッタリングにより形成されることを特徴とするＲＦＩＤタグ製造方法。
【請求項１４】
請求項１１乃至１３のいずれか１項に記載のＲＦＩＤタグの製造方法において、
前記ＩＣチップと前記導電体とは、前記第１のアンテナに対して互いに反対側に設けられるとともに、
前記導電体は、前記スリットと重なり、前記第１のアンテナはその一部に前記導電体と重ならない部分を有するように設けられることを特徴とするＲＦＩＤタグ製造方法。
【手続補正書】
【提出日】平成24年10月9日(2012.10.9)
【手続補正１】
【補正対象書類名】特許請求の範囲
【補正対象項目名】請求項１
【補正方法】変更
【補正の内容】
【請求項１】
複数のクライアント端末からサーバに接続するウェブサイト閲覧システムにおいて、
前記サーバは、
前記複数のクライアント端末のうちの所定のクライアント端末から要求されたページコンテンツを取得する第１の受信手段と、
前記取得したページコンテンツを画像に変換する手段と、前記取得したページコンテンツからＵＩ情報を抽出し、抽出したＵＩ情報に基づいてＵＩ情報メタデータを生成する手段と、からなる複数の情報生成手段と、
前記所定のクライアント端末からの要求を受信すると、前記所定のクライアント端末を特定するためのセッションＩＤを発行し、当該発行したセッションＩＤと前記複数の情報生成手段のうちの所望の情報生成手段とを対応付けて管理するセッション管理手段と、
前記変換された画像と、前記生成されたＵＩ情報メタデータと、前記発行されたセッションＩＤとを前記所定のクライアント端末に送信する第１の送信手段と、
を備え、
前記クライアント端末は、
所望のページコンテンツを前記サーバに要求する第２の送信手段と、
前記サーバから送信された前記要求したページコンテンツの画像とＵＩ情報メタデータと前記セッションＩＤとを受信する第２の受信手段と、
前記受信された画像とＵＩ情報メタデータとに基づいて前記画像を表示する表示手段と、
前記受信された画像を前記表示手段に表示し、前記ＵＩ情報メタデータに基づいて前記画像上にＵＩ情報を表示する表示制御手段と、
を備えたことを特徴とするウェブサイト閲覧システム。
【手続補正２】
【補正対象書類名】特許請求の範囲
【補正対象項目名】請求項１０
【補正方法】変更
【補正の内容】
【請求項１０】
前記移動手段は、前記ＵＩ情報メタデータに基づいて視覚効果を表示することを特徴とする請求項７から９のいずれかに記載のウェブサイト閲覧システム。
【手続補正３】
【補正対象書類名】明細書
【補正対象項目名】００１１
【補正方法】変更
【補正の内容】
【００１１】
前記目的を達成するために請求項１に記載のウェブサイト閲覧システムは、複数のクライアント端末からサーバに接続するウェブサイト閲覧システムにおいて、前記サーバは、前記複数のクライアント端末のうちの所定のクライアント端末から要求されたページコンテンツを取得する第１の受信手段と、前記取得したページコンテンツを画像に変換する手段と、前記取得したページコンテンツからＵＩ情報を抽出し、抽出したＵＩ情報に基づいてＵＩ情報メタデータを生成する手段と、からなる複数の情報生成手段と、前記所定のクライアント端末からの要求を受信すると、前記所定のクライアント端末を特定するためのセッションＩＤを発行し、当該発行したセッションＩＤと前記複数の情報生成手段のうちの所望の情報生成手段とを対応付けて管理するセッション管理手段と、前記変換された画像と、前記生成されたＵＩ情報メタデータと、前記発行されたセッションＩＤとを前記所定のクライアント端末に送信する第１の送信手段と、を備え、前記クライアント端末は、所望のページコンテンツを前記サーバに要求する第２の送信手段と、前記サーバから送信された前記要求したページコンテンツの画像とＵＩ情報メタデータと前記セッションＩＤとを受信する第２の受信手段と、前記受信された画像とＵＩ情報メタデータとに基づいて前記画像を表示する表示手段と、前記受信された画像を前記表示手段に表示し、前記ＵＩ情報メタデータに基づいて前記画像上にＵＩ情報を表示する表示制御手段と、を備えたことを特徴とする。
【手続補正４】
【補正対象書類名】明細書
【補正対象項目名】００２９
【補正方法】変更
【補正の内容】
【００２９】
請求項１０に示すように請求項７から９のいずれかに記載のウェブサイト閲覧システムにおいて、前記移動手段は、前記ＵＩ情報メタデータに基づいて視覚効果を表示することを特徴とする。
【誤訳訂正書】
【提出日】平成24年9月27日(2012.9.27)
【誤訳訂正１】
【訂正対象書類名】明細書
【訂正対象項目名】００１８
【訂正方法】変更
【訂正の内容】
【００１８】
このとき、特定の薬物が患者によって摂取された場合に起きるであろう既知若しくは疑われる副作用に関する危険の証拠に関する情報が患者から取得されることが好ましい。この情報は、この後に、予め定められた薬物に関する危険パラメータのセットと比較されるものであり、この危険パラメータのセットは複数の異なる危険群を定義するためのものであるので、上記情報をアナライズすることで、当該患者を少なくとも１つの危険群に割り当てる。好ましくは、この危険群の割り当ても、また、前記コンピュータの読取可能な記憶媒体へ登録される。この割り当ては、患者の登録カードもしくはフォームにおける危険群の割り当てを含む処方箋作成者によって行われてもよく、あるいはその他の個人、例えば看護婦、医者または事務員によって行われてもよく、彼らは、好ましくは、情報を解釈し、そして危険群の１つに患者を割り当てることが好ましい。
【誤訳訂正２】
【訂正対象書類名】明細書
【訂正対象項目名】００４２
【訂正方法】変更
【訂正の内容】
【００４２】
本発明の一実施態様によれば、本発明では、患者に薬物を調剤する際に、登録された薬局がコンピュータの読取可能な記憶媒体にアクセスして処方承認コードを取得することを要求する。そして、この発明では、処方箋作成者、薬局、患者、患者の危険群および患者のインフォームドコンセントが記憶媒体中に適切に登録されていなければ、この処方承認コードは提供されない。また、処方承認コードの生成（ｇｅｎｅｒａｔｉｏｎ）においては、前記危険群の割り当てに応じて、上記で説明したように、周期的調査及び診断試験の結果を含む追加の情報セットを記憶媒体に登録することを追加的に要求する。かくして、本方法に従い、処方される薬物を調剤するための承認を受けるためには、登録された薬局は、処方承認コードを取得することのみが必要となる。処方承認コードが生成されない場合、患者は、例えば電話によって必要な調査を完成するよう指導されるか、または必要な診断試験の完成のために処方箋作成者に戻って指導される。この方式では、薬局によって要求される労苦は最小にされ、そして本方法への一層の順守が効率的かつ有利に達成できる。その上、本明細書に記述される実施態様は、患者の危険群の割り当てに適当であるようなすべての要求されるさらなる情報が薬物が患者に配布される前に得られるというより大きい保証を提供し、それによって有害な副作用が起きる危険性を最小にする。
【誤訳訂正３】
【訂正対象書類名】明細書
【訂正対象項目名】００５０
【訂正方法】変更
【訂正の内容】
【００５０】
本発明の方法への順守を容易にするため、そして処方される薬物による治療によって既知のまたは疑わしい有害な副作用が生じる可能性を最小にするために、薬物の処方箋が登録された薬局に提示された時、薬物を患者に調剤する前にコンピュータの読取可能な記憶媒体にアクセスして、処方承認コードを取得することが好ましい。処方承認コードを生成するためには、そして患者の危険群の割り当てによっては、患者は、追加情報を提供するよう求められ、次いで、この追加情報が、処方の承認が提供される前に前記記憶媒体に書き込まれる。例えば、患者は、ある種の診断試験を受けるよう要求される。ＨＩＶの患者では、例えば、ウイルス負荷の試験が、最初に、そして周期的に要求され、それによって薬剤の用量が必要に応じて調整される。また、患者は、他の薬剤を摂取しようとしているか、あるいは療法の選択および実行に対して重要である徴候を示し始めているかの可能性の証拠を提供する質問を与える調査を完成するよう要求される。そのような追加情報は、新しい処方箋および再調合処方箋が作成される場合、治療の開始前および治療中周期的に要求される。患者によって提供される情報、および行われたすべての診断試験の結果に基づいて、患者の危険群の割り当ては、同じまま留まるか、または指示により変更される。また、患者の危険群の割り当ては、患者が与えられた薬物もしくは薬剤を投与された時間の長さに基づいて変更されてもよい。
【手続補正書】
【提出日】平成24年1月12日(2012.1.12)
【手続補正１】
【補正対象書類名】特許請求の範囲
【補正対象項目名】全文
【補正方法】変更
【補正の内容】
【特許請求の範囲】
【請求項１】
インクを吐出させるエネルギを発生する吐出エネルギ発生素子を一方の面側に有する基板と、
前記基板の前記一方の面側に設けられた第一の層と、
前記基板の前記一方の面側から前記一方の面の裏面である他方の面側まで、前記基板を貫通するように設けられた、前記インク流路にインクを供給するための供給口と、
前記供給口の内壁面を覆い、かつ前記第一の層上に設けられた保護層と、
一部分は前記保護層上に設けられ、他の部分は前記保護層を貫通して前記第一の層上に設けられた第二の層と、
を備える、ことを特徴とするインクジェット記録ヘッド。
【請求項２】
前記保護層が、ポリパラキシリレン、ポリイミド樹脂、ポリ尿素樹脂のいずれかからなる、請求項１に記載のインクジェット記録ヘッド。
【請求項３】
前記第一の層及び前記第二の層が、酸化シリコン、窒化シリコン、炭化シリコン、アルミニウム、銅、タンタル、窒化タンタル、ＴａＳｉＮのいずれかからなる、請求項１または２に記載のインクジェット記録ヘッド。
【請求項４】
電気配線を一方の面側に有する基板を有する電子デバイスであって、
前記基板の前記一方の面側から前記一方の面の裏面である他方の面側まで貫通する電極と、前記一方の面側に設けられた第一の層と、
前記電極の内壁面を覆い、かつ前記第一の層上に設けられた保護層と、
一部分は前記保護層上に設けられ、他の部分は前記保護層を貫通して前記第一の層上に設けられた第二の層と、
を備えることを特徴とする電子デバイス。
【請求項５】
前記保護層が、ポリパラキシリレン、ポリイミド樹脂、ポリ尿素樹脂のいずれかからなる、請求項４に記載の電子デバイス。
【請求項６】
前記第一の層及び前記第二の層が、酸化シリコン、窒化シリコン、炭化シリコン、アルミニウム、銅、タンタル、窒化タンタル、ＴａＳｉＮのいずれかからなる、請求項４または５に記載の電子デバイス。
【手続補正２】
【補正対象書類名】明細書
【補正対象項目名】発明の名称
【補正方法】変更
【補正の内容】
【発明の名称】インクジェット記録ヘッド及び電子デバイス
【手続補正３】
【補正対象書類名】明細書
【補正対象項目名】０００１
【補正方法】変更
【補正の内容】
【０００１】
本発明は、記録用紙等の被記録材にインクを吐出するインクジェット記録ヘッド、及び基板に貫通口を有する電子デバイスに関する。
【手続補正４】
【補正対象書類名】明細書
【補正対象項目名】０００７
【補正方法】変更
【補正の内容】
【０００７】
そこで、本発明は、貫通口の内壁面に形成された絶縁層の剥離を抑えることができる電子デバイスを提供することを目的の１つとする。また、本発明は、供給口の内壁面に形成された保護層の剥離を抑え、かつ、インクが基板にまで容易に浸透するのを防ぐことができるインクジェット記録ヘッドを提供することを目的の１つとする。
【手続補正５】
【補正対象書類名】明細書
【補正対象項目名】０００８
【補正方法】変更
【補正の内容】
【０００８】
上述した目的を達成するため、本発明に係るインクジェット記録ヘッドは、インクを吐出させるエネルギを発生する吐出エネルギ発生素子を一方の面側に有する基板と、
一方の面側に設けられた第一の層と、
基板の一方の面側から一方の面の裏面である他方の面側まで、基板を貫通するように設けられた、インク流路にインクを供給するための供給口と、
供給口の内壁面を覆い、かつ第一の層上に設けられた保護層と、
一部分は前記保護層上に設けられ、他の部分は前記保護層を貫通して前記第一の層上に設けられた第二の層と、を備える。
【手続補正書】
【提出日】平成24年5月14日(2012.5.14)
【手続補正１】
【補正対象書類名】特許請求の範囲
【補正対象項目名】全文
【補正方法】変更
【補正の内容】
【特許請求の範囲】
【請求項１】
インクを吐出するために利用されるエネルギーを発生する複数のエネルギー発生体からなる列と、前記複数のエネルギー発生体にインクを供給するための、前記列に沿って配されたインク供給口と、が設けられたインクジェット記録ヘッド用基板であって、
前記列と前記インク供給口とはそれぞれ前記基板の長手方向に延びる様に設けられており、
前記長手方向に関して交差する交差方向に延びた前記基板の第１の辺に沿って近くに配された、前記複数のエネルギー発生体と電気的に接続された第１の端子と、
前記長手方向に関する前記インク供給口の前記第１の辺に近い側の端部を通り前記交差方向に延びる仮想の線と前記第１の端子との間の領域において、前記長手方向に延びた前記基板の第２の辺の近くに配された、前記複数のエネルギー発生体と電気的に接続された第２の端子と、
を有することを特徴とするインクジェット記録ヘッド用基板。
【請求項２】
前記第２の端子の前記長手方向に関する幅は、前記第１の端子の前記長手方向に関する幅よりも大きく、前記第１の端子の前記交差方向に関する幅よりも大きい請求項１に記載のインクジェット記録ヘッド用基板。
【請求項３】
前記第２の端子は、前記長手方向に長い長方形形状を有する請求項２に記載のインクジェット記録ヘッド用基板。
【請求項４】
前記基板には前記複数のエネルギー発生体に駆動電力を供給するための電源配線およびグランド配線が設けられており、
前記第２の端子には前記電源配線および前記グランド配線のいずれか一方が接続されている請求項１乃至３のいずれかに記載のインクジェット記録ヘッド用基板。
【請求項５】
請求項１乃至４のいずれかに記載のインクジェット記録ヘッド用基板と、前記複数のエネルギー発生体にそれぞれ対応して設けられた複数のインク吐出口と、を備えたインクジェット記録ヘッド。
【手続補正２】
【補正対象書類名】明細書
【補正対象項目名】００１８
【補正方法】変更
【補正の内容】
【００１８】
上記目的を達成するため、本発明のインクジェット記録ヘッド用基板は、インクを吐出するために利用されるエネルギーを発生する複数のエネルギー発生体からなる列と、前記複数のエネルギー発生体にインクを供給するための、前記列に沿って配されたインク供給口と、が設けられたインクジェット記録ヘッド用基板であって、前記列と前記インク供給口とはそれぞれ前記基板の長手方向に延びる様に設けられており、前記長手方向に関して交差する交差方向に延びた、前記基板の第１の辺、に沿って近くに配された、前記複数のエネルギー発生体と電気的に接続された第１の端子と、前記長手方向に関する前記インク供給口の前記第１の辺に近い側の端部を通り前記交差方向に延びる仮想の線と前記第１の端子との間の領域において、前記長手方向に延びた前記基板の第２の辺の近くに配された、前記複数のエネルギー発生体と電気的に接続された第２の端子と、を有することを特徴とする。
【手続補正書】
【提出日】平成24年2月23日(2012.2.23)
【手続補正１】
【補正対象書類名】特許請求の範囲
【補正対象項目名】全文
【補正方法】変更
【補正の内容】
【特許請求の範囲】
【請求項１】
（１）ＬｏｇＰ値が３．０〜５．０であるポリエステルを有機溶剤に溶解しポリエステルの溶液を得る工程、
（２）工程（１）で得られたポリエステルの溶液に、式
１０≦Ａ×Ｂ≦１８
（式中、Ａはポリエステル溶液中のポリエステルの中和当量、Ｂはポリエステルの酸価（ｍｇＫＯＨ／ｇ）を示す。）
を満たすように中和剤を添加して、ポリエステルを中和する工程、
（３）工程（２）で中和されたポリエステルの溶液に水を添加してポリエステルを乳化させる工程、及び
（４）工程（３）で得られたポリエステル分散液に離型剤を添加する工程
を有する、熱転写受像シート用受容層組成物の製造方法。
【請求項２】
ポリエステルが、（ａ）式（１）
【化１】
2010006976.tif 000001
（式中、ＲＯはオキシアルキレン基であり、Ｒはエチレン基又はプロピレン基を表し、ｘ及びｙはアルキレンオキサイドの付加モル数を示し、それぞれ正の数であり、かつｘとｙの和の平均値が２〜７である。）
で表される２，２−ビス（４−ヒドロキシフェニル）プロパンのアルキレンオキサイド付加物を８０モル％以上含有し、かつ（ｂ）上記２，２−ビス（４−ヒドロキシフェニル）プロパンのアルキレンオキサイド付加物のアルキレンオキサイド付加物中における、エチレンオキサイド付加物とプロピレンオキサイド付加物の含有比率（エチレンオキサイド付加物／プロピレンオキサイド付加物）がモル比で５０／５０〜０／１００であるアルコール成分を用いて得られる、請求項１記載の熱転写受像シート用受容層組成物の製造方法。
【請求項３】
ポリエステルが、炭素数１〜２０のアルキル基又は炭素数２〜２０のアルケニル基で置換されたコハク酸であるカルボン酸成分を用いて得られる、請求項１又は２に記載の熱転写受像シート用受容層組成物の製造方法。
【請求項４】
工程（３）で添加する水の量が、ポリエステル１００重量部に対し１００〜９００重量部である、請求項１〜３のいずれかに記載の熱転写受像シート用受容層組成物の製造方法。
【請求項５】
工程（２）で添加する中和剤がアンモニア水である、請求項１〜４のいずれかに記載の熱転写受像シート用受容層組成物の製造方法。
【請求項６】
工程（１）で得られるポリエステル溶液中におけるポリエステルの濃度が５〜６０重量％である、請求項１〜５のいずれかに記載の熱転写受像シート用受容層組成物の製造方法。
【請求項７】
基材、及び該基材の少なくとも一方の面に、請求項１〜６のいずれかに記載の製造方法で得られる熱転写受像シート用受容層組成物からなる染料受容層を有する、熱転写受像シート。
【手続補正書】
【提出日】平成24年1月17日(2012.1.17)
【手続補正１】
【補正対象書類名】明細書
【補正対象項目名】００８２
【補正方法】変更
【補正の内容】
【００８２】
実施例４のＰＸＸ−（ＢＴ）2は、実施例１の合成における（４，４，５，５−テトラメチル−１，３，２−ジオキサボロラン−２−イル）ベンゼンを２，２’−ビチオフェン−５−ボロン酸ピナコールエステルに変更した以外は、実施例１と同じスキームを経ることで得ることができた。そして、テトラヒドロフランを用いて抽出することにより精製を行った。Ｔｏｆ−ＭＳ、1Ｈ−ＮＭＲによって、二置換体、ＰＸＸ−（ＢＴ）2であることが確認できた。
【手続補正書】
【提出日】平成24年4月23日(2012.4.23)
【手続補正１】
【補正対象書類名】特許請求の範囲
【補正対象項目名】全文
【補正方法】変更
【補正の内容】
【特許請求の範囲】
【請求項１】
小麦発酵抽出物及びエンテロコッカス・フェカリス殺菌菌体が混合されていることを特徴とする乳酸菌配合物。
【請求項２】
免疫賦活活性を持つことを特徴とする請求項１記載の乳酸菌配合物。
【請求項３】
前記乳酸菌配合物が動物用医薬品、医薬部外品、化粧品、食品、機能性食品、飼料、植物用肥料、植物用医薬品又は浴用剤であることを特徴とする請求項１記載の乳酸菌配合物。
【請求項４】
抗炎症性腸疾患効果、抗アレルギー疾患効果、鎮痛効果、制がん効果、コレステロール低下効果、血糖低下効果、抗炎症作用、便通改善効果、絨毛萎縮抑制効果、自然治癒力増強効果又は免疫増強効果を示すことを特徴とする請求項３記載の乳酸菌配合物。
【請求項５】
小麦発酵抽出物及びエンテロコッカス・フェカリス殺菌菌体を混合することを特徴とする乳酸菌配合物の製造方法。
【手続補正２】
【補正対象書類名】明細書
【補正対象項目名】００１２
【補正方法】変更
【補正の内容】
【００１２】
なお、本発明では乳酸菌菌体として、Enterococcus faecalis（エンテロコッカス・フェカリス）を用いる。
【手続補正書】
【提出日】平成24年5月14日(2012.5.14)
【手続補正１】
【補正対象書類名】特許請求の範囲
【補正対象項目名】全文
【補正方法】変更
【補正の内容】
【特許請求の範囲】
【請求項１】
シートを排出する排出部と、
前記排出部により排出されるシートを変形させる変形手段と、
排出されたシートを積載する積載部と、
を有し、
前記変形手段は、前記積載部上に積載されるシートの積載量が増加するにつれて、排出されるシートを変形させる変形量を小さくすることを特徴とするシート積載装置。
【請求項２】
前記積載部上の積載シートの積載量の増加に伴って移動可能なレバー部材を備え、前記変形手段は、前記レバー部材の移動に伴い、排出されるシートの変形量を変化させることを特徴とする請求項１に記載のシート積載装置。
【請求項３】
前記変形手段は、前記レバー部材に回動自在に設けられ、排出されるシートの排出経路に突出する方向に弾性部材により付勢されることを特徴とする請求項２に記載のシート積載装置。
【請求項４】
前記積載部上に積載されたシートが所定の積載高さに達したときに信号を発生する第一の検知手段と、前記レバー部材が前記積載部上に積載されたシートに押圧されて所定の位置に移動したときに信号を発生する第二の検知手段と、を備え、前記第一の検知手段が信号を発生せず、前記第二の検知手段が信号を発生したとき、前記積載部上に積載されたシートの積載状態は、異常と判断されることを特徴とする請求項２又は３に記載のシート積載装置。
【請求項５】
前記変形手段は、前記排出部により排出されるシートのシート排出方向と交差するシート幅方向の端部に当接するよう配設されることを特徴とする請求項１ないし４のいずれか１項に記載のシート積載装置。
【請求項６】
シートに画像を形成する画像形成手段と、画像形成されたシートを積載する請求項１ないし５のいずれか１項に記載のシート積載装置と、を備えることを特徴とする画像形成装置。
【手続補正２】
【補正対象書類名】明細書
【補正対象項目名】０００８
【補正方法】変更
【補正の内容】
【０００８】
上記目的を達成するために、本発明に係るシート積載装置、画像形成装置の代表的な構成は、シートを排出する排出部と、前記排出部により排出されるシートを変形させる変形手段と、排出されたシートを積載する積載部と、を有し、前記変形手段は、前記積載部上に積載されるシートの積載量が増加するにつれて、排出されるシートを変形させる変形量を小さくすることを特徴とする。